(57)【要約】【課題】地盤の硬軟などに関わらずポールを正確に位置付けることができ、経済性に優れたサインポールの設定方法を提供する。【解決手段】ポール挿入孔１２の内壁面に拡径して当接するポール保持部１３を備えたサインポール１０を地盤や床に立設させる設定方法であって、サインポール１０が立設される挿入孔を地盤に穿設する工程と、挿入孔に鉄パイプ１２ａを配置してその周囲をコンクリート１２ｂで充填して固定する工程と、鉄パイプ１２ａ内にポール本体１１の基端部を挿入すると共にサインポール本体１１の基端部に設けられたポール保持部１３の拡径度合いを調整してサインポール１０の配置位置を設定する工程とを、備えている。【選択図】  図１
2004279722.tif 000002
【特許請求の範囲】
【請求項１】
広告などの看板や標識、照明灯が取り付けられパイプ状や棒状に形成されたポール本体の基端部が地盤や床に穿設されたポール挿入孔に挿入されて支持されるサインポールであって、前記ポール本体の基端部に配置され、前記ポール挿入孔の壁面に拡径して当接するポール保持部を備えたことを特徴とするサインポール。
【請求項２】
前記ポール挿入孔がその周囲をコンクリートや土を介して埋設された鋼管の内壁部で形成され、前記鋼管や樹脂管の上部開口に取り付けられる係止部材と、前記係止部材にその棒状の上端側が昇降調節可能に取り付けられその下端側が前記ポール本体の周面に設けられた前記ポール保持部の回動部材に取り付けられる連結部材と、を備えていることを特徴とする請求項１記載のサインポール。
【請求項３】
前記ポール保持部が前記ポール本体の周面に螺合部を介して伸縮自在に垂設された棒状の伸縮固定部材を備えていることを特徴とする請求項１又は２に記載のサインポール。
【請求項４】
前記ポール本体の基端部にネジ溝を有して進退し高さ調整可能に形成されたレベル調整部材を備えていることを特徴とする請求項１〜３の内いずれか１項に記載のサインポール。
【請求項５】
前記ポール保持部がパイプ状のポール本体に内蔵され、前記ポール本体の周面には前記ポール保持部の回動部材の先側を突出させる開口部が設けられていることを特徴とする請求項１記載のサインポール。
【請求項６】
請求項１〜５の内いずれか１項に記載のサインポールを地盤や床に立設させる設定方法であって、前記サインポールが立設される挿入孔を地盤に穿設する工程と、前記挿入孔に鉄パイプを配置してその周囲をコンクリートで固定してポール挿入孔を形成させる工程と、前記ポール挿入孔に前記サインポールの基端部を挿入すると共に前記サインポールの基端部に設けられた前記ポール保持部を調整して前記サインポールの配置を設定する工程とを、備えたことを特徴とするサインポールの設定方法。
【発明の詳細な説明】
【０００１】
【発明の属する技術分野】
本発明は看板、電飾看板などの広告物や道路用などの標識、照明灯が取り付けられ、道路や店舗などの地盤上、床上に立設されて通行者に情報などを発信するサインポール及びその設定方法に関する。
【０００２】
【従来の技術】
従来この種のサインポールは地盤などにその挿入孔を穿設して、サインポールの基端部を挿入し、この周囲にコンクリートを充填固定する方法がとられている。例えばこのポール設置技術に関連して以下のようなものが知られている。
特許文献１には、ポールの基端部を地表面から適宜の深さに掘削された埋設用縦穴内に挿入した後に、ポールにおける基端部の外周と埋設用縦穴の内周との間の空間部にコンクリートを充填し、この充填したコンクリートの固化によってポールを立設させるポール看板の立設方法において、充填したコンクリートが固化するまでの間にポールが傾倒するのを阻止する自立幇助部材をポールの基端部に取り付けた状態で埋設用縦穴内に基端部を挿入するようにしたポール看板の立設方法が記載されている。
【０００３】
【特許文献１】
特開２００１−３０６００７号公報
【０００４】
【発明が解決しようとする課題】
しかしながら、前記従来のサインポール及びその設定方法では以下のような課題があった。
（ｉ）特許文献１に記載の方法は、ポールの基端部に取り付けられる自立幇助部材には取り付け角度や高さなどの調整手段が設けられていないので、複数のポールを組み合わせて看板などを取り付ける際などにポール間の位置関係を調整したり、傾いたポールを所定の姿勢に修正したりすることができず、施工性に欠けるという課題があった。
（ｉｉ）軟弱な地盤にポールの挿入孔を掘削した場合、その側壁部分の土が崩れてポールを正確に立てるのが困難である上に、結果的に施工費用などが嵩むという課題があった。
本発明は上記課題を解決するためになされたもので、地盤の硬軟などに関わらずポールを正確に位置付けることができ、複数のポールを組み合わせて取り付ける際などにそのポール軸の姿勢調整や固定及びその取り外しを容易にでき施工性に優れたサインポールの設定方法を提供することを目的とする。
【０００５】
【課題を解決するための手段】
（１）上記課題を解決するため本発明のサインポールは、広告などの看板や標識、照明灯が取り付けられパイプ状や棒状に形成されたポール本体の基端部が地盤や床に穿設されたポール挿入孔に挿入されて支持されるサインポールであって、前記ポール本体の基端部に配置され、前記ポール挿入孔の壁面に拡径して当接するポール保持部を備えるように構成されている。これによって、ポール挿入孔に挿入されたポール本体の姿勢をポール挿入孔の壁面にその先端などが当接されて拡径自在なポール保持部で任意に調整できるので、地盤に穿設されたボール挿入孔が多少傾いてもサインポールを的確かつ容易に位置付けることができる。
【０００６】
（２）また本発明は、前記（１）において、前記ポール挿入孔がその周囲をコンクリートや土を介して埋設された鋼管や樹脂管の内壁部で形成され、前記鋼管や樹脂管の上部開口に取り付けられる係止部材と、前記係止部材にその棒状の上端側が昇降調節可能に取り付けられその下端側が前記ポール本体の周面に設けられた前記ポール保持部の回動部材に取り付けられる連結部材と、を備えていることにも特徴を有している。これによって、オーガーなどの掘削機で穿設され鋼管や樹脂管で形成されたポール挿入孔を有効に用いてポール保持部を簡単に構成でき、サインポールの支持強度や経済性に優れると共に、サインポールの設定作業を容易に行うことができる。
【０００７】
（３）本発明は、前記（１）又は（２）において、前記ポール保持部が前記ポール本体の周面に螺合部を介して伸縮自在に垂設された棒状の伸縮固定部材を備えるようにできる。これによって、ポール挿入孔の壁面との間に間隙を有して挿入されるポール本体のがたつきを規制でき、サインポールをさらに確実に支持することができる。
【０００８】
（４）本発明は、前記（１）〜（３）において、前記ポールの基端部にネジ溝を有して高さ調整可能に形成されたレベル調整部材を備えるように構成することができる。これによって、サインポールの高さ調整が容易にできるので、穿設されるポール挿入孔の深さに多少のばらつきがあっても、これに対応して調整でき、複数のポール脚部で支持される看板や道路標識、照明灯などを設定する際における水平位置調整を容易に行うことができる。また、レベル調整部材の先部を円盤状にして、その周縁部がポール挿入孔に少しの隙間を有して嵌合するようにした場合には、ポール本体の下端部をポール挿入孔の略中心位置に固定して、ポール保持部におけるポール本体下端側の保持機能を持たせることができるので、上部側の位置調整だけでサインポールの姿勢調整を簡単に行うことができる。
【０００９】
（５）本発明は、前記（１）において、前記ポール保持部がパイプ状のポール本体に内蔵され、前記ポールの周面には前記ポール保持部の回動部材の先側を突出させる開口部を設けることもできる。これによって、ポール保持部がその外部に突出する部分を少なくでき、施工移動時などのハンドリング性に優れる。
【００１０】
（６）本発明のサインポールの設定方法は、前記（１）〜（５）の内いずれかのサインポールを地盤や床に立設させる設定方法であって、前記サインポールが立設される挿入孔を地盤に穿設する工程と、前記挿入孔に鉄パイプを配置してその周囲をコンクリートで固定してポール挿入孔を形成させる工程と、前記ポール挿入孔に前記サインポールの基端部を挿入すると共に前記サインポールの基端部に設けられた前記ポール保持部を調整して前記サインポールの配置を設定する工程と、を備えている。これによって、軟弱な地盤をオーガーなどで掘削して鉄パイプが傾いて固定されるような場合でも、サインポールの姿勢を容易に調整でき、その掘削及び設定に係る工程費用を軽減できる。
【００１１】
【発明の実施の形態】
（実施の形態１）
図１は本発明の実施の形態１に係るサインポールの設定方法を示す模式断面図であり、図２はその平面図であり、図３は図１の矢視Ａ〜Ｄ拡大断面図である。図１〜図３において、１０は実施の形態１のサインポール、１１はサインポール１０のポール本体であり、スチールパイプや鉄棒、複合強化プラスチックパイプなどで形成される。１２はポール挿入孔であり、地盤Ｇにオーガーなどを用いて穿設された孔に鉄パイプ１２ａがコンクリート１２ｂを介して埋設されて形成される。１３はポール保持部であり、ポール本体１１に配置され鉄パイプ１２ａの内壁面に当接して支持する。１３ａはポール保持部１３の係止部材であり、鉄パイプ１２ａ上部の開口に取り付けられる。１３ｂは棒状の連結部材であり、係止部材１３ａにその上端側がナット１３ｃを介して昇降調節可能に取り付けられる。１３ｄは略楕円状やカム状の回動部材であり、ポール本体１１の周面に支持部材１３ｅを介して回動自在に取り付けられる。１３ｆは回動部材１３ｄの昇降軸であり、連結部材１３ｂの下端部が連結される。１４は伸縮固定部材であり、ポール本体１１の周面に螺合部１４ａを介し垂設され、その軸部１４ｂが鉄パイプ１２ａの内壁面に伸縮自在に配置される。１５はレベル調整部材であり、ポール本体１１の底部にその軸部１５ａが螺合して取り付けられ地盤Ｇに載置される蓋部１５ｂを有する。
【００１２】
サインポール１０は、図示するようにそのポール挿入孔１２に挿入される基端部の長さ（地中に埋められる長さ）が約１５００〜３０００ｍｍ、好ましくは２０００〜２５００ｍｍの中実棒状又はパイプ状であって、この基端部が地盤Ｇに穿設されたポール挿入孔１２に挿入される。そして、基端部に配置されたポール保持部１３やその底部に配置されたレベル調整部材１５でサインポール１０が所定の姿勢に固定支持されるようになっている。
ポール挿入孔１２は、オーガーマシンなどの掘削機を用いて地盤Ｇに所定口径、所定深さの挿入孔を穿設し、この挿入孔に鉄パイプ１２ａを挿入して所定位置に配置した後、鉄パイプ１２ａの周囲にコンクリートを充填して形成される。
なお、鉄パイプ１２ａはその外径が７００〜９００ｍｍであって、コンクリートの施工厚みは鉄パイプ１２ａの外径に対して、その１／２〜２倍の範囲となるように地盤Ｇに孔を穿設することが好ましい。これはコンクリートの施工厚みが１／２倍より薄くなるとポール本体を支持するための支持強度を確保するのが困難となる傾向が現れ、逆に２倍を超えると必要以上にコンクリートが消費され掘削の施工費用が嵩むの傾向が現れるからである。
【００１３】
ポール保持部１３は、サインポール１０の基端部が鉄パイプ１２ａに挿入されてその内壁面に当接するように拡径する回動部材１３ｄと、この回動された回動部材１３ｄを所定の突出位置で固定するための連結部材１３ｂや鉄パイプ１２ａの上端部に固定される係止部材１３ａを備えている。また、ポール本体１１の基端部における開口側上部には伸縮長さを調整固定できる軸部１４ｂを備えた伸縮固定部材１４が互いに９０度の角度で放射状に４組配置され、この４組の伸縮固定部材１４の突出長さをそれぞれ螺合部１４ａで調整して、ポール本体１１を鉄パイプ１２内の略中央に位置付けられるようになっている。すなわち、ポール保持部１３は、（ａ）係止部材１３ａ、連結部材１３ｂ、回動部材１３ｄ、支持部材１３ｅを備えた回動機構と、（ｂ）螺合部１４ａ及び軸部１４ｂからなる伸縮固定部材１４を備えた伸縮機構とを有して構成される。
【００１４】
前記（ａ）回動機構においては、鉄パイプ１２ａの上端部に固定された係止部材１３ａに係止されネジ溝を有する連結部材１３ｂの上部をナット１３ｃを回転させることで上方に牽引させる。これによって、連結部材１３ｂの下端に昇降軸１３ｆを介して連結された回動部材１３ｄが引き上げられる。こうしてその基部側が支持部材１３ｅを軸として回動してその先端側が拡径して、鉄パイプ１２ａの内壁面に当接させるようにしている。
また、前記（ｂ）伸縮機構においては、図２に示すようにポール本体１１の周面に等間隔に垂設された４本の伸縮固定部材１４の軸部１４ｂをそれぞれ回転させてその先端を伸長させ、鉄パイプ１２ａの内壁面に当接させてポール本体１１をその中心位置に固定するようにしている。
なお、ポール保持部には、前記（ａ）回動機構及び前記伸縮機構（ｂ）をセットとして用いる必要はなく、（ａ）回動機構もしくは（ｂ）伸縮機構のいずれかを適用してもよく、その設置部位はポール本体１１の基端部における、上部及び下部又はその中間位置などに複数設けることができる。
ポール保持部１３及びこれに隣接して配置された伸縮固定部材１４を、ポール本体１１の周囲に各４組を配置する場合について説明したが、ポール保持部１３及び伸縮固定部材１４のセットを左右一対又は１２０度の角度で各３組を配置することもできる。
【００１５】
レベル調整部材１５は、その伸縮長さをその軸部１５ａのネジ溝を用いて調整して、軸部１５ａの下端に取り付けられた蓋部１５ｂをポール挿入孔１２底部の地盤上に載置させて、その設定深さを調整できるようにしたものである。これによって、サインポール１０の下端が軟弱な地盤に沈み込んで複数のポール本体からなる脚部を有する看板などの全体が傾いたり不安定になったりするのを効果的に防止することができる。
また、レベル調整部材は、その円盤状の周縁部をポール挿入孔に嵌合して摺動できるような大きさにした場合には、これによってポール本体の下端部をポール挿入孔の中心位置に固定してポール本体下端側の保持機能を持たせることができ、前記（ｂ）伸縮機構だけでサインポールの姿勢調整を容易に行うことも可能となる。
【００１６】
以上のように構成された実施の形態１のサインポール１０に適用されるサインポールの設定方法について図面を参照して説明する。
まず、サインポール１０が立設される挿入孔を地盤Ｇに穿設する。このときオーガーを用いて地盤Ｇに掘削される挿入孔の掘削口径を８００〜１０００ｍｍとする。
つぎに、挿入孔に外径が約８００ｍｍの長さが約３０００ｍｍの鉄パイプ１２ａを配置してその周囲に生コンクリートを流し込んで硬化させることにより鉄パイプ１２ａを地中に埋設固定させる。
鉄パイプ１２ａ内にサインポール１０の基端部を挿入すると共にサインポール１０の基端部に設けられたポール保持部１３の回動部材１３ｄの拡径度合いを連結部材１３ｂ上部の係止部材１３ａのナット１３ｃで調整する。このとき、ポール挿入孔１２は図４（ｂ）に示されるように垂直に穿設される場合の他に、図４（ａ）に示されるようにポール挿入孔１２自体が傾いて固定される場合もあるが、どのような場合でもポール保持部１３の各回動部材１３ｄの回動角度をそれぞれ適切に調節することでサインポール１０を垂直に正しく立設させる設定操作を容易に行うことができる。
なお、ポール本体１１をポール挿入孔１２に挿入する前に、レベル調整部材１５の蓋部１５ｂの突出長さを調整しておくことで、ポール挿入孔１２に立設されるサインポール１０をさらに安定に保持させることができる。
【００１７】
以上述べたように本実施の形態１のサインポール１０及びその設定方法によれば、軟弱な地盤にサインポール１０を立てる際に、サインポール１０の姿勢調整を容易にしてその掘削及び設定に係る工程費用を軽減できる。また、オーガーなどの掘削機で穿設され鋼管や樹脂管で形成されたポール挿入孔を用いてポール保持部を簡単に構成でき、サインポールの設定作業を容易に行うことができる。
さらにポール保持部１３が伸縮固定部材１４を備えるので、ポール挿入孔１２の鉄パイプ１２ａ内壁面に間隙を有して挿入されるポール本体１１の上部側を確実かつ安定して固定できる。また、ポール本体１１下端にレベル調整部材１５が設けられ、これによってサインポール１０の高さ調整が容易にでき、軟弱な地盤に穿設されるポール挿入孔１２の深さにばらつきがあっても複数のポール本体で支持される看板などを設定する際の水平位置設定が容易にできる。
また、サインポール１０の基端部を埋設する部位をポール挿入孔とすることで、地盤の掘削面を必要最小限にして看板を支持するサインポールを駐車場の隅やブロック塀に隣接した位置などに容易に設けることができる。
【００１８】
（実施の形態２）
図５は実施の形態２に係るサインポールの断面図である。
図５において、２０は実施の形態２のサインポール、２１は鉄パイプなどでパイプ状に構成されたサインポール２０のポール本体、２２はポール本体２１内部の基端部に配置されポール本体２１の周面に開口した開口部２１ａから拡径してポール挿入孔の壁面に当接させる略楕円状やカム状に形成された回動部材、２３は放射状に配置された複数の回動部材２２の軸部２２ａを軸支する回動部材支持部、２４はその下端が回動部材支持部２３に連結されてポール本体２１に内蔵された棒状やパイプ状の連結部材、２５、２５ａは連結部材２４をポール本体２１の軸線方向に進退可能に支持する上下一対の連結部材受部、２６はその基端がポール本体２１の内壁に設けられた基部２６ａを介して回動されその先部がポール本体２１の開口部２１ｂから突出して配置されその中間位置の軸部２６ｂに連結部材２４の上端側が連結されるレバー部、２７は上下に回動されるレバー部２６を所定の回動角度で固定するナットなどの固定部材２７ａを備えたレバー位置固定部である。
【００１９】
サインポール２０におけるポール保持部には、回動部２２やこの回動部材を牽引又は押圧するための連結部材２４、レバー部２６などが含まれている。
これによって、レバー部２６を下方に押し下げることで軸部２６ｂに連結された連結部材２４を介して回動部材支持部２３に基端が支持された回動部材２２のポール本体２１の開口部２１ａから外側に突出する先端側の回動角度を調整してポール挿入孔の壁面に当接させることができる。レバー部２６はレバー位置固定部２７を備えており、これによってポール本体２１の基端部をポール挿入孔に入れたまま、所定の押圧力が付加された状態で回動部材２２を固定できる。
以上のようにサインポール２０は、ポール保持部の主要部がパイプ状のポール本体２１に内蔵され、ポール本体２１の周面にはポール保持部の回動部材２２の先側を突出させる開口部２１ａが設けられていて、サインポール２０における姿勢調整作業を容易に行えると共に、施工移動時などのハンドリング性に優れている。
【００２０】
（実施の形態３）
図６は実施の形態３に係るサインポールの図１における矢視Ｄ拡大断面図である。
図６（ａ）に示すように、レベル調整部材１５を、ポール本体１１の底部と接触する軸部１５ａの上面を半球状にして、蓋部１５ｂとの間でポール本体１１の設定深さを調整できるようにすると共に、ポール本体１１の下端部をポール挿入孔１２の中心位置に容易に摺動調整できるようにすることもできる。
さらに、図６（ｂ）に示すように、蓋部１５ｂの上面にボールベアリング１５ｄを設けることにより、ポール本体１１の下端部をポール挿入孔１２の中心位置により容易に摺動調整できる。
【００２１】
【発明の効果】
請求項１記載の発明によれば、ポール挿入孔に挿入されたポール本体の姿勢をポール挿入孔の壁面に当接され拡径自在なポール保持部で任意に調整できるので、地盤に穿設されたボール挿入孔が多少傾いてもサインポールを的確かつ容易に位置付けることができる。
【００２２】
請求項２記載の発明によれば、請求項１記載のサインポールにおいて、オーガーなどの掘削機で穿設され鋼管や樹脂管で形成されたポール挿入孔を有効に用いてポール保持部を簡単に構成でき、サインポールの支持強度や経済性に優れると共に、サインポールの設定作業を容易に行うことができる。
【００２３】
請求項３記載の発明によれば、請求項１又は２記載のサインポールにおいて、ポール挿入孔の壁面に対して間隙を有して挿入されるポール本体のがたつきを規制でき、サインポールをさらに確実に支持することができる。
【００２４】
請求項４記載の発明によれば、請求項１〜３の内いずれか１項に記載のサインポールにおいて、サインポールの高さ調整が容易にできるので、穿設されるポール挿入孔の深さに多少のばらつきがあっても、これに対応して調整でき、複数のポール脚部で支持される看板を設定する際などにおける水平位置調整を容易に行うことができる。また、レベル調整部材の円盤状の周縁部がポール挿入孔に少しの隙間で嵌合するように形成させることもでき、これによってポール本体の下端部をポール挿入孔の略中心位置に固定して、サインポールの姿勢調整の操作を上部側のポール保持部だけで容易に行うことができる。
【００２５】
請求項５記載の発明によれば、請求項１記載のサインポールにおいて、ポール保持部がその外部に突出する部分を少なくでき、施工移動時などのハンドリング性に優れる。
【００２６】
請求項６記載の発明によれば、軟弱な地盤をオーガーなどを用いて掘削して鉄パイプが傾いて固定されるような条件下であっても、サインポールの姿勢を容易に調整でき、その掘削及び設定に係る工程費用を軽減できる。
【図面の簡単な説明】
【図１】実施の形態１に係るサインポールの設定方法を示す模式断面図である。
【図２】同サインポールの平面図である。
【図３】同サインポールの図１における矢視Ａ〜Ｄ拡大断面図である。
【図４】（ａ）垂直に穿設されたポール挿入孔におけるサインポールの断面図である。（ｂ）斜めに穿設されたポール挿入孔におけるサインポールの断面図である。
【図５】実施の形態２のサインポールの模式断面図である。
【図６】実施の形態３のサインポールの図１における矢視Ｄ拡大断面図である。
【符号の説明】
１０  実施の形態１のサインポール
１１  ポール本体
１２  ポール挿入孔
１２ａ  鉄パイプ
１２ｂ  コンクリート
１３  ポール保持部
１３ａ  係止部材
１３ｂ  連結部材
１３ｃ  ナット
１３ｄ  回動部材
１３ｅ  支持部材
１３ｆ  昇降軸
１４  伸縮固定部材
１４ａ  螺合部
１４ｂ  軸部
１５  レベル調整部材
１５ａ  軸部
１５ｂ  蓋部
２０  実施の形態２のサインポール
２１  ポール本体
２ｂ１ａ、２１ｂ  開口部
２２  回動部材
２２ａ  軸部
２３  回動部材支持部
２４  連結部材
２５、２５ａ  連結部材受部
２６  レバー部
２６ａ  基部
２６ｂ  軸部
２７  レバー位置固定部
２７ａ  固定部材
【図１】
2004279722.tif 000003
【図２】
2004279722.tif 000004
【図３】
2004279722.tif 000005
【図４】
2004279722.tif 000006
【図５】
2004279722.tif 000007
【図６】
2004279722.tif 000008